(57)【要約】【目的】パチンコ島台間に仮設された移送樋を着脱することなく、底板の清掃作業や底板の交換作業を容易に行うことが可能な移送樋を提供する【構成】移送樋３０は、少なくとも底面部３１と両側面部としての固定側面部３１ａ及び可動側面部３６で構成され且つ前記パチンコ島台間に架設される基体３７と、該基体３７の底面部３１に敷設されて上面をパチンコ玉が転動する底板３８と、から構成され、前記底板３８は、パチンコ島台間に架設された状態の前記基体３７に対して着脱自在に装着されることにより、底板３８が汚れたり損傷又は破壊等した場合に、パチンコ島台間に移送樋３０を架設したままで底板３８の清掃もしくは交換等を容易に行うことができる。その結果、メンテナンスにおけるコストの低減及び作業性の向上を図ることができる。【選択図】　　　　　図３
2004065500.tif 000002
【特許請求の範囲】
【請求項１】
パチンコ島台間にパチンコ玉を移送するために架設された移送樋において、
該移送樋は、少なくとも底面部と両側面部で構成され且つ前記パチンコ島台間に架設される基体と、該基体の底面部に敷設されて上面をパチンコ玉が転動する底板と、から構成され、
前記底板は、パチンコ島台間に架設された状態の前記基体に対して着脱自在に装着されることを特徴とする移送樋。
【請求項２】
前記基体の一方の側面部にパチンコ玉の直径寸法より小さく且つ前記底板の厚み寸法より大きい寸法の間隙を形成し、
前記底板は、前記基体に対して前記間隙から挿脱することにより着脱自在に装着されることを特徴とする請求項１記載の移送樋。
【請求項３】
前記底板の挿入側の端面は、下面から上面に向けて昇り傾斜するように傾斜状に形成されていることを特徴とする請求項２に記載の移送樋。
【請求項４】
前記底板には、該底板を着脱する際に用いるための取手手段が設けられていることを特徴とする請求項２又は請求項３に記載の移送樋。
【請求項５】
前記移送樋には、前記基体の上面を覆う蓋板を設け、該蓋板は、前記基体の上面を覆う状態と上面を覆わない状態とに開閉自在に添設したことを特徴とする請求項１乃至請求項４のいずれかに記載の移送樋。
【請求項６】
前記蓋板は、前記基体の上面を覆う状態において前記基体又は前記底板に対して前記蓋板を係止する係止手段を備えたことを特徴とする請求項５に記載の移送樋。
【発明の詳細な説明】
【０００１】
【発明の属する技術分野】
パチンコ島台間にパチンコ玉を移送するために架設された移送樋に関するものである。
【０００２】
【従来の技術】
従来、パチンコ島台間にパチンコ玉を移送するために架設された移送樋において、移送樋の底面部に設けられる底板は、移送樋長手方向の端部から着脱が可能なものであったため、着脱は、先ず移送樋の基体の上面を覆う状態に設けられる取り外し式の蓋板を取り外した上で、次に移送樋長手方向の端部から底板を出し入れする方法でしか行うことができず、実際の着脱作業はパチンコ島台間に架設された移送樋を取り外して行わなければならなかった。つまり、移送樋がパチンコ島台間に架設された状態での着脱は事実上不可能なものであった。
【０００３】
【発明が解決しようとする課題】
このため、底板を清掃する場合に、底板を着脱して清掃を行おうとすると必然的に移送樋をパチンコ島台から取り外す煩雑な作業が必要になる。このため、通常の清掃は底板の着脱は省略して移送樋をパチンコ島台から取り外さずに行われていた。しかし、前記移送樋は高所に設けられているため、移送樋をパチンコ島台間に架設したままで清掃作業を行うことは、危険であるとともに容易ではなく、結果的に行き届いた清掃を行うのは困難な状態であった。また、底板を交換する場合、先ずパチンコ島台から移送樋へのパチンコ玉の流入を遮断し、次に既に移送樋内に流入したため滞留しているパチンコ玉を排除し、続いて移送樋をパチンコ島台から取り外して安全で容易に作業することが可能な場所へ移動し、最後に前記の方法で底板を交換し改めて元の位置に取り付けて調整しなければならず、非常に手間のかかる作業であった。また、蓋板が取り外し式蓋板であるため、底板の清掃作業や底板の交換作業または移送樋内の点検等を行う場合は必ず、蓋板を着脱する作業、取り外した蓋板の移動作業、及び取り付け位置の復元作業等を行わねばならず、非常に手間のかかる作業であった。本発明は、上記した事情に鑑みなされたもので、その目的とするところは、パチンコ島台間に架設された移送樋全体を着脱することなく、底板の清掃作業や底板の交換作業等を容易に行うことが可能な移送樋を提供することにある。
【０００４】
【課題を解決するための手段】
上記した目的を達成するために、請求項１に記載の発明においては、パチンコ島台間にパチンコ玉を移送するために架設された移送樋において、該移送樋は、少なくとも底面部と両側面部で構成され且つ前記パチンコ島台間に架設される基体と、該基体の底面部に敷設されて上面をパチンコ玉が転動する底板と、から構成され、前記底板は、パチンコ島台間に架設された状態の前記基体に対して着脱自在に装着されることを特徴とするものである。このように構成することにより、底板が汚れた場合に、パチンコ島台間に基体を架設したままで底板のみを取り外して低所へ移動して清掃することができ、結果的には安全に且つ行き届いた清掃を容易に行うことができる。また、底板が損傷又は破壊等で交換が必要な場合においても、パチンコ島台間に基体を架設したままで底板のみを取り替えることができ、底板の交換を安全で容易にすることができる。その結果、メンテナンスにおけるコストの低減及び作業性並びに安全性の向上を図ることができる。
【０００５】
また、請求項２に記載の発明においては、前記基体の一方の側面部にパチンコ玉の直径寸法より小さく且つ前記底板の厚み寸法より大きい寸法の間隙を形成し、　前記底板は、前記基体に対して前記間隙から挿脱することにより着脱自在に装着されることを特徴とするものである。このように構成することにより、側面部に設けられた間隙に対して底板は挿入が可能であるがパチンコ玉は通過が不可能であるので、底板の着脱時において移送樋内に滞留しているパチンコ玉が間隙を通過して移送樋外へ流出するおそれはない。したがって、底板の清掃又は交換を行う場合でも予め移送樋内のパチンコ玉を除去することなく作業を行うことができ、底板の清掃又は交換を迅速に行うことができる。その結果、メンテナンスにおけるコストの低減及び作業性並びに安全性の向上を図ることができる。
【０００６】
また、請求項３に記載の発明においては、前記底板の挿入側の端面は、下面から上面に向けて昇り傾斜するように傾斜状に形成されていることを特徴とするものである。このように構成することにより、移送樋内に多数のパチンコ玉が滞留しているような場合でも底板がスムーズにパチンコ玉の下部に入り込むため、底板を基体に容易に装着することができる。
【０００７】
また、請求項４に記載の発明においては、前記底板には、該底板を着脱する際に用いるための取手手段が設けられていることを特徴とするものである。このように構成することにより、移送樋内に多数のパチンコ玉が滞留して底板上面に大きな加重がかかるような場合でも底板を基体から容易に取り外すことができる。
【０００８】
また、請求項５に記載の発明においては、前記移送樋には、前記基体の上面を覆う蓋板を設け、該蓋板は、前記基体の上面を覆う状態と上面を覆わない状態とに開閉自在に添設したことを特徴とするものである。このように構成することで、点検等を行う場合蓋板を開閉するだけで基体の上面を開放することができる。また、従来の取り外し式の蓋板を設けた場合に必要であった蓋板の取り外し及び取り付け作業、取り外した蓋板を高所から低所へ又は低所から高所へ移動する作業、取り付け作業に付随して生じる取り付け位置の復元作業等、が不要となる。その結果、メンテナンスにおけるコストの低減及び作業性並びに安全性の向上を図ることができる。
【０００９】
更に、請求項６に記載の発明においては、前記蓋板は、前記基体の上面を覆う状態において前記基体又は前記底板に対して前記蓋板を係止する係止手段を備えたことを特徴とするものである。このように構成することで、蓋板が基体の所定の位置に係止されるため、移送樋内をパチンコ玉が転動する場合に発生する振動により起きる蓋板のばたつきを防止することができる。その結果、蓋板のばたつきを直接の原因として発生する騒音を防止することができる。
【００１０】
【発明の実施の形態】
以下、図面を参照して本発明の実施形態について説明する。まず、図１を参照して本実施形態に係るパチンコ島台１の概略構成について説明する。図１は、本実施形態に係るパチンコ島台１の内部を示す側面図である。
【００１１】
図１において、パチンコ島台１は、周知のように、直方体状に枠組み構成され、その長手方向両面に複数のパチンコ機２を背向列設するようになっている。
【００１２】
また、パチンコ島台１のほぼ中央には、玉揚送装置３が立設されている。本実施形態に係る玉揚送装置３は、帯状の搬送ベルトによってパチンコ玉を揚送するものであり、その帯状の搬送ベルトがパチンコ島台１の長手方向と直交するように配置されて下部の導入樋３ａから導入したパチンコ玉を上部に研磨しながら揚送して上部の排出口３ｂから次に説明する上部タンク４に排出するものである。
【００１３】
玉揚送装置３の上部には、揚送されたパチンコ玉を一時的に貯留する上部タンク４，５が設けられ、該上部タンク４，５からは、各パチンコ機２にパチンコ玉を供給するための補給樋６が、パチンコ島台１の長手方向左右端部に向かって傾斜状に設けられている。玉揚送装置３により揚送されたパチンコ玉は、まず上部タンク４（以下、上部主タンク４という）に誘導され、上部主タンク４につながる補給樋６及び上部タンク５（以下、上部従タンク５という）に振り分けられる。上部従タンク５に振り分けられたパチンコ玉は、上部従タンク５につながる補給樋６及び後述する移送樋３０に誘導される。上記した左右の補給樋６，上部主タンク４及び上部従タンク５にパチンコ玉が充満し、上部主タンク４がオーバーフロー状態になると、上部主タンク４でオーバーフローしたパチンコ玉は、上部主タンク４及び上部従タンク５の下方に設置される分岐箱７に誘導され、また、移送樋３０を介して他のパチンコ島台１から上部従タンク５に送られてくるパチンコ玉も同様に分岐箱７に誘導される。分岐箱７に誘導されたパチンコ玉は、まず、玉揚送装置３の図示右側方に沿って形成される右オーバーフローダクト８に優先的に誘導され、右オーバーフローダクト８からパチンコ島台１の下部にある貯留タンク１６に誘導され、貯留されることとなる。貯留タンク１６がパチンコ玉によって充満し、右オーバーフローダクト８もパチンコ玉で充満されると、分岐箱７からのパチンコ玉は、玉揚送装置３の図示左側方に沿って形成される左オーバーフローダクト９に誘導され、左オーバーフローダクト９からパチンコ島台１の下部にある補助タンク１０に誘導され貯留されることとなる。
【００１４】
一方、上記した補給樋６には、各パチンコ機２にパチンコ玉を誘導する分配シュート１１が各パチンコ機２に対応して設けられている。分配シュート１１によって取り込まれたパチンコ玉は、分配シュート１１の下方に位置する計数補給装置１２により玉数が計数された後、パチンコ機２の背面上部に設けられた賞球タンク（図示しない）に供給され、景品玉や遊技玉として使用される。また、補給樋６の下流端まで流下してきたパチンコ玉を後述するアウト玉回収樋１３ａ，１３ｂに誘導することができるように構成されており、これによりパチンコ玉はパチンコ島台１内を循環している。
【００１５】
一方、パチンコ機２から排出される使用済みのパチンコ玉（アウト玉）は、計数機能を有するアウト玉回収ボックス（図示しない）で回収された後、下方に排出される。アウト玉回収ボックスから排出されたパチンコ玉は、パチンコ島台１の両端部からそのほぼ中央に立設される玉揚送装置３の下部に向けて下り傾斜状に設けられるアウト玉回収樋１３ａ，１３ｂ上に落下せしめられる。
【００１６】
なお、アウト玉回収樋１３ａ，１３ｂは、各パチンコ機２に対応して設けられた計数返却装置１８で計数されたパチンコ玉（景品玉）及びパチンコ機２から排出される使用済みのパチンコ玉（アウト玉）をまとめて回収するものであり、パチンコ島台１の幅方向中央の位置に長手方向に沿って敷設される誘導レールにより構成されるものである。図示の場合、玉揚送装置３を挟んで右側の第１アウト玉回収樋１３ａの下流端は、中継タンク１４に接続され、玉揚送装置３を挟んで左側の第２アウト玉回収樋１３ｂは、前記補助タンク１０に接続されている。なお補助タンク１０は、連結樋１５を介して貯留タンク１６に接続されている。
【００１７】
ところで、遊技場には通常、これまで説明してきた構造を持つ複数のパチンコ島台１が図２に示すように所定の間隔を保って並列に設置されている。これらのパチンコ島台１，１間には、相互にパチンコ玉を移送するための移送樋３０が所定の傾斜角度で架設されており、各パチンコ島台１が保有するパチンコ玉の数のバランスは、この移送樋３０を介したパチンコ島台１，１間におけるパチンコ玉の相互授受により図られている。
【００１８】
そこで、移送樋３０の詳細な構造について図２乃至図５を参照して説明する。図２は、遊技場に設置された複数のパチンコ島台１と移送樋３０との関係を示す概略図であり、図３は、移送樋３０の部分斜視図であり、図４は、移送樋３０の扉板４６及び蓋板４３を開放した状態を示す部分斜視図であり、図５は、移送樋
３０に装着された底板３８が取り外される状態を示す断面図である。
【００１９】
移送樋３０は、隣接したパチンコ島台１，１間において一定の傾斜角度で設置され、その両端部は取付ブラケット１７でそれぞれの取付対象となるパチンコ島台１の前記上部従タンク５に固着されている。
【００２０】
移送樋３０は、少なくとも底面部３１と両側面部で構成され且つパチンコ島台１，１間に架設される基体３７と、該基体３７の底面部３１に敷設されて上面をパチンコ玉が転動する底板３８と、から構成されている。図示の実施形態の場合は、基体３７として、底面部３１と両側面部としての固定側面部３１ａと可動側面部３６で構成されている。以下、本実施形態に係る移送樋３０の概略構成について説明する。
【００２１】
先ず、底面部３１の一側端部には、該底面部３１と一体的に構成される固定側面部３１ａが立設され、該固定側面部３１ａの上側端部には蓋板４３が回動自在に軸支され、蓋板４３の前記軸支側と反対側の端部のやや内側の位置には可動側面部３６が下方向に立設されている。すなわち、本実施形態においては、蓋板４３は、基体３７の上面を覆う状態と上面を覆わない状態とに開閉自在に軸支するように設けられている。また、蓋板４３の前記軸支側端部とは反対側端部には扉板４６が回動自在に軸支され、前記扉板４６には後述する底板３８と係止するための扉板側係止用磁石４９が埋設されている。したがって、本実施形態において、蓋板４３は、基体３７の上面を覆う状態において、底板３８に対して蓋板４３を係止する係止手段としての扉板側係止用磁石４９を備えている。一方、底板３８は、Ｌ字型の断面形状をもつほぼ平板で形成され、本実施形態におけるその構成は、挿入側の端面としての底板傾斜端面４０が下面から上面に向けて昇り傾斜するように傾斜状に形成されており、挿入側の反対端面には底板３８を着脱する際に用いるための取手手段としての底板取手部４１が設けられていて、基体３７に装着する場合、底面部３１を被覆し且つ固定側面部３１ａに突き当たる位置で装着されるものである。なお、前記固定側面部３１ａの下部には固定側面部突片３３が突設されている。
【００２２】
以上で本実施形態に係る移送樋３０の概略構成について説明してきたが、以下、移送樋３０の構成として基体３７、蓋板４３、扉板４６、底板３８について順次より詳細に説明する。
【００２３】
前述したように本実施形態における基体３７は、図３乃至図５に示すように底面部３１と両側面部としての固定側面部３１ａと可動側面部３６で構成されている。固定側面部３１ａは、下部に固定側面部突片３３が突設され、上部に蓋板４３を軸支し底面部３１と一体的に構成される。固定側面部３１ａに前記固定側面部突片３３を突設することにより形成される固定側面部底板嵌入溝３４は、底板３８が装着される際に底板傾斜端面４０が嵌入できる寸法に設けられている。一方、固定側面部３１ａの上部には蓋板４３を軸支するために複数の固定側面部軸受突片３５が凹凸状に設けられ、後述する複数の蓋板軸受突片４５と嵌め合わせた上で蓋板回転軸４４を貫設して蝶番状に構成することで蓋板４３を軸支している。
【００２４】
一方、可動側面部３６は、蓋板４３の軸支側の端部のやや内側の位置に下方向に立設され、底面部３１との間に所定の間隙５１が形成されるように設けられている。つまり、本実施形態における前記間隙５１は、基体３７の一方の側面部としての可動側面部３６の下方にパチンコ玉の直径寸法より少なく且つ底板３８の厚み寸法より大きい寸法の底板挿脱用間隙５１である。また、可動側面部３６の突設位置は、図３に示すように扉板４６により蓋板４３が係止された状態において、可動側面部３６と扉板４６とが密着する位置である。
【００２５】
また、前述したように蓋板４３の他端部においては扉板４６を回動自在に軸支している。つまり、蓋板４３の前記両端部には、図３及び図４に示すように複数の蓋板軸受突片４５が凹凸状に設けられ、一端部の蓋板軸受突片４５は後述する複数の扉板軸受突片４８と嵌め合わせた上で扉板回転軸４７を貫設して蝶番状に構成することで扉板４６を軸支している。また、扉板４６において扉板軸受突片４８を設けた端部とは反対側の端部には、図４（Ａ）に示すように複数の扉板側係止用磁石４９が埋設されている。なお、扉板４６には、その中央に扉板４６及び蓋板４３の開閉の際、扉板４６を把持しやすくするためにほぼＴ溝状の扉板展開用取手溝５０が形成されている。
【００２６】
次に、底板３８の構成について詳述する。図５（Ｃ）に示すように底板３８は、底板平面部３９の一端部に底板３８の挿入を容易にするための前記底板傾斜端面４０が形成され、他端部に底板３８の挿脱を容易にするための前記底板取手部４１が形成されている。前記底板取手部４１の蓋板４６と密着する側面には、図４（Ａ）に示されるように係止手段としての底板側係止用磁石４２が埋設されている。図５には、底板３８が基体３７から底板挿脱用間隙５１を抜けて取り外される状態を（Ａ）（Ｂ）（Ｃ）の順序で示しているが、取り付ける場合は前記順序を逆に遡れば良い。したがって、底板３８は、前記基体３７に対して前記底板挿脱用間隙５１から挿脱することにより前記基体３７に着脱自在に装着できるものである。
【００２７】
以上詳述してきた構成を持つ本実施形態の作用について説明すると、移送樋３０において、隣接したパチンコ島台１，１間に架設された状態でパチンコ玉を移送するに伴い、底板３８の上を転動するパチンコ玉によって底板３８若しくは基体３７が汚れたり損傷又は破壊した場合、底板３８若しくは基体３７の清掃や底板３８の交換が必要になる。底板３８は、パチンコ島台１，１間に架設したままの基体３７に着脱自在に装着できるように構成されており、具体的には、基体３７の可動側面部３６と底板部３１との間に設けられた底板挿脱用間隙５１から挿脱することが可能になっているので、底板３８が汚れた場合に、扉板４６を図３に示す状態から図４（Ａ）に示す状態に開き底板３８を取り外して低所へ移動して清掃することができ、結果的には安全に且つ行き届いた清掃を容易に行うことができる。また、底板３８が損傷又は破壊等した場合に、パチンコ島台１，１間に移送樋３０を架設したままで底板３８の交換を安全で容易にすることができる。その結果、メンテナンスにおけるコストの低減及び作業性並びに安全性の向上を図ることができる。さらに、底板３８は、底板傾斜端面４０がパチンコ玉の滞留した移送樋３０内へ挿入しやすい形状であり、他端部に底板取手部４１が設けられているため、一層容易に着脱できる。これに加えて、前記底板挿脱用間隙５１をパチンコ玉は通過することができないため、底板３８の清掃や交換が、移送樋３０の底板３８以外をパチンコ島台１から取り外すことなく、またパチンコ玉の移送樋３０への流入を遮断することや、移送樋３０内に滞留したパチンコ玉を排除することなく行える。したがって、メンテナンスにおけるコストの低減及び作業性の向上を図ることができる。
【００２８】
また、本実施形態の移送樋３０において、パチンコ玉の直径寸法より小さく且つ前記底板３８の厚み寸法より大きい寸法の間隙としての底板挿脱用間隙５１を前記底面部３１との間に形成する前記基体３７の一方の側面部としての可動側面部３６は、前記蓋板４３に立設されることを特徴とする。このように構成することにより、図４（Ｂ）に示すように先ず、扉板４６と底板３８の係止状態を解除し、基体３７に添設された蓋板４３を蓋板回転軸４４を中心に回動させることで蓋板４３、扉板４６、及び可動側面部３６が展開されて、移送樋３０は上方向のみならず一側方向にも開放される。したがって、移送樋３０内の清掃若しくは点検等の作業を行う際に、上方向のみ開放された状態と比較して、作業の障害は少ないため、より作業性の向上を図ることができる。また、蓋板４３は基体３７に添設され、扉板４６は蓋板４３に軸支され、可動側面部３６は蓋板４３に突設されているので、蓋板４３を元の位置に取り付ける際に、煩雑な位置決め作業が不要となる。その結果、メンテナンスにおけるコストの低減及び作業性の向上を図ることができる。
【００２９】
さらに、本実施形態の移送樋３０は、前記蓋板４３を係止する手段として、扉板４６に埋設された複数の扉板側係止用磁石４９と底板３８に埋設された複数の底板側係止用磁石４２を設けることにより、パチンコ玉が移送樋３０内を転動する際に発生する蓋板４３のばたつきを防止し、さらに前記ばたつきを直接の原因として発生する騒音を防止することができる。これにより、パチンコ玉移送中における静粛性の向上並びにメンテナンスにおけるコストの低減及び作業性の向上を図ることができる。
【００３０】
上記した図３乃至図５に示す具体的な実施形態（第１実施形態）の場合、移送樋３０をパチンコ島台１，１間に架設したまま取り外すことなく且つ移送樋３０内に滞留したパチンコ玉を排除することや移送樋３０へのパチンコ玉の流入を遮断することなく、底板３８の清掃乃至交換が容易にでき、且つ蓋板４３の着脱が容易なために移送樋３０内の点検も容易にできる例を示したが、以下に示す実施形態のように、移送樋３０をパチンコ島台１，１間に架設したままで取り外すことなく、底板の清掃乃至交換を目的として底板が容易に着脱できるものであっても良い。
【００３１】
以下に具体的な実施形態（第２実施形態乃至第４実施形態）を、図６を参照して説明する。先ず、図６（Ａ）は、移送樋６９の基体６０に底板６１が装着された状態を示す断面図である（第２実施形態）。前記第一実施形態では、蓋板４３及び基体３７を構成する可動側面部３６が開閉する例を示したが、第２実施形態では、基体６０は、底面部、両側面部及び蓋板が角筒状に一体的に形成されている点においてのみ第一実施形態とは異なる。詳述すると、基体６０の一側側面部下方に底板６１が挿脱可能且つ基体６０内部に滞留するパチンコ玉が流出不可能な寸法の底板挿入用間隙６２が設けられ、底板６１の挿入側端面は、底板６１の下面から上面に向かって昇りの底板傾斜端面６１ａが形成され、挿入側端面の反対側の端面には、底板６１を基体６０に対して出し入れする場合、底板６１を図示の矢印の方向に引っ張ったり押し込んだりする際に有効な底板取手部６１ｂが形成されている。このため、底板６１の交換乃至清掃を行う場合に、底板６１の着脱が容易であるために、移送樋６９がパチンコ島台１間に架設されたままでも交換乃至清掃を容易に行うことができ、メンテナンスにおけるコストの低減及び作業性の向上を図ることができる。
【００３２】
次に、第３実施形態として図６（Ｂ）を参照して説明する。この第３実施形態の基本的な構造は概ね前記第２実施形態をベースとしており、異なる点はゴミ剥離屈曲片７３が設けられている点にある。よって、底板７１乃至基体７０の構造及び機能についての詳細は省略する。図に示すようにゴミ剥離屈曲片７３は、基体７０の上面から水平方向に延設される基体張り出し部７４の一側端部から下方向に垂設される基体垂下部７５の先端に付設され、且つその先端部が底板７１の上面に接するように設けられている。このことにより、基体７０から底板７１を取り外すときに、底板７１の上面に接したゴミ剥離屈曲片７３の先端部が、底板７１の上面に付着したゴミを剥離し、剥離したゴミは底板７１が完全に取り外されたときに、基体７０の本体とゴミ剥離屈曲片７３の間隙から下方向へ落下して排除される。したがって、底板７１の清掃を行う場合に、移送樋７９をパチンコ島台１から取り外すことなく、また移送樋７９内に滞留したパチンコ玉を排除することなく、さらに底板７１を基体７０から取り外すことで同時に清掃が行われるので、清掃作業がより容易になる。この結果、メンテナンスにおけるコストの低減及び作業性の向上を図ることができる。なお、ゴミ剥離手段としてのゴミ剥離屈曲片７３を示したが、前記ゴミ剥離屈曲片７３は前記基体７０と着脱自在に設けられるものであっても良い。このように構成することで、ゴミ剥離屈曲片７３が磨耗若しくは破損等した場合、ゴミ剥離屈曲片７３のみを交換することで復旧が可能となる。この結果、メンテナンスにおけるコストの低減及び作業性の向上を図ることができる。
【００３３】
次に、第４実施形態として図６（Ｃ）を参照して説明する。第４実施形態の基体８０は上方向に開口したほぼコの字型の断面形状を形成し、両側面部の外壁側下部には底板８２の底板係止部８３と係止する基体係止部８１が形成され、一側面部の上部には蓋板回転軸８６が貫設され、他側面部の上部には係止手段としての基体側係止用磁石８８が埋設され蓋板８５を係止している。この蓋板８５は前述のように蓋板回転軸８６により軸支されており、基体８０の上部を被覆した状態から蓋板回転軸８６を中心に上方向へ回動自在に設置されている。なお、前記基体側係止用磁石８８に対応する位置には蓋板側係止用磁石８７が埋設されている。
【００３４】
一方、基体８０の底面部には、底板８２に立設する複数の底板玉支持用フィン８４が貫通するスリットが複数穿設されている。この底板８２の底板玉支持用フィン８４の高さ寸法は、底板８２が図示の状態で取り付けられたときに、パチンコ玉が基体８０の底面部の上面から浮き上がる状態で支持される大きさに設定され、且つフィンとフィンのピッチ寸法は同じくパチンコ玉を基体８０の底面部の上面から浮き上がる状態で支持できる大きさに設定されている。そして底板８２は、底板係止手段としての前記底板係止部８３で底板係止手段としての基体係止部８１と係止され底板８２は基体８０に装着される。この底板係止手段を設けたため、底板上面を球が転動しても底板が移動することなく、底板８２を基体８０と一体化することができ、底板８２が振動することで発生する騒音を防止することができる。尚、他の実施形態にも同様に底板係止手段を設けても良い。
【００３５】
したがって、上記第４実施形態の場合、底板係止部８３を基体係止部８１からはずし基体８０から底板８２を下方向に向かって取り外すことで、移送樋８９の基体８０をパチンコ島台１，１間に架設したまま取り外すことなく且つ基体８０内に滞留したパチンコ玉を排除することなく、底板８２の清掃乃至交換をすることができる。さらに、基体８０内部を清掃する場合には、底板８２も取り外して行えば、基体８０の底面部に穿設されるスリットからゴミ等を落下させることができ、行き届いた清掃を容易に行うことができる。また、移送樋８９内の点検等を行う場合、蓋板８５開放すれば移送樋８９の基体８０をパチンコ島台１，１間に架設したまま取り外すことなく容易に行うことができる。更に、蓋板８５を係止する場合も、当然元の位置に復帰するので煩雑な位置決め作業をすること無く所定の位置に取り付けることができる。この結果、メンテナンスにおけるコストの低減及び作業性の向上を図ることができる。
【００３６】
なお、上記した実施形態においては、移送樋の基体の側面部若しくは底面部に底板の挿入を可能にする機能（例えば間隙やスリット）を設けることで、底板を着脱する例を示したが、パチンコ島台間に架設された移送樋を取り外すことなく底板を着脱できるものであれば、どのようなものであっても良い。たとえば、上記の実施形態において底板の着脱の際に必要な間隙乃至スリットは、滞留した移送樋内のパチンコ玉の流出が不可能な条件であっても事前に移送樋内のパチンコ玉を排除する必要のない例を示したが、移送樋がパチンコ島台間に架設した状態のままで底板の着脱が可能でさえあるならば、たとえ移送樋内に滞留したパチンコ玉を事前に排除しなければならないような形態であっても良い。
【００３７】
また、上記した実施形態においては、蓋板４３の係止手段として底板側係止用磁石４２及び扉板側係止用磁石４９を使用する例を示したが、騒音の原因となるところの移送樋内をパチンコ玉が転動するときに発生する振動による蓋板のばたつきを防止できれば、どのようなものであっても良い。たとえば、蓋板と該蓋板を係止する対象となる部材（例えば、基体）とにそれぞれ爪と爪受片で構成された係止手段を設けたような形態であっても良い。
【００３８】
また、上記した実施形態においては、基体から底板を容易に取り外すことができるために、底板が汚れたり損傷または破壊等した場合に底板を清掃または交換することで対処する例を示したが、底板の清掃作業が軽減され若しくは底板の交換サイクルが延びることで一定期間における交換回数が減少させるために、たとえば、底板上面に汚れが付着しにくい防汚シート等を貼着するような形態であっても良い。また、底板上面に予め複数の防汚シート等を積層させて貼着しておいても良い。このように構成することにより、毎回防汚シート等を貼着する必要がなく、底板の清掃作業を防汚シート等を剥がすだけで簡便に且つ手早く完了することができ、より一層作業性の向上を図ることができる。
【００３９】
また、上記した実施形態においては、底板の端面に底板着脱用の取手部を設けた例を示したが、底板の移送樋内部への着脱が容易にできるならば、どのようなものであっても良い。たとえば、底板に孔を穿設し、前記孔に嵌合する部位を備えた治具を使用して底板を着脱するような形態であっても良く、または、底板に別部材の取手金具を設置したような形態のものでも良い。
【００４０】
また、上記した実施形態においては、底板は単体で設定された例を示したが、パチンコ島台間に架設された移送樋を取り外すことなく底板を着脱できるものであれば、どのようなものであっても良い。たとえば、底板が複数に分割されたような形態のものでも良い。このようにすれば、底板の着脱をさらに容易にすることができるとともに、汚れやすい位置にある底板と汚れにくい位置にある底板とを入れ替えたりすることが可能となり、底板の寿命を延ばすことも可能となる。また、一部の底板のみを着脱するようにしても良い。
【００４１】
また、上記した実施形態においては、底板は単体で移送樋の底面部をほぼ被覆して幅方向に関して全体に及ぶ例を示したが、結果として、底板が移送樋の底面部を幅方向に関して全体に及ぶ程度に被覆するものであれば、どのようなものであっても良い。たとえば、移送樋の幅方向中心部まで被覆可能な底板を移送樋の両側面からそれぞれ着脱可能な形態にしても良い。
【００４２】
また、上記した実施形態においては、蓋板が蓋板回転軸を中心に回動する例を示したが、蓋板が基体に対して移動自在であれば，どのようなものであっても良い。たとえば、蓋板が基体に対してスライドするような構造の形態にしても良い。
【００４３】
【発明の効果】
以上、説明したところから明らかなように、請求項１の発明においては、底板が汚れた場合に、パチンコ島台間に基体を架設したままで底板のみを取り外して低所へ移動して清掃することができ、結果的には安全に且つ行き届いた清掃を容易に行うことができる。また、底板が損傷又は破壊等で交換が必要な場合に、パチンコ島台間に基体を架設したままで底板のみを取り替えることができ、底板の交換を安全で容易にすることができるようになる。その結果、メンテナンスにおけるコストの低減及び作業性並びに安全性の向上を図ることができる。
【００４４】
また、請求項２の発明においては、側面部に設けられた間隙に対して底板は挿入が可能であるがパチンコ玉は通過が不可能であるので、底板の着脱時において移送樋内に滞留しているパチンコ玉が間隙を通過して移送樋外へ流出するおそれはない。したがって、底板の清掃又は交換を行う場合でも予め移送樋内のパチンコ玉を除去することなく作業を行うことができ、底板の清掃又は交換を迅速に行うことができる。その結果、メンテナンスにおけるコストの低減及び作業性並びに安全性の向上を図ることができる。
【００４５】
また、請求項３の発明においては、移送樋内に多数のパチンコ玉が滞留しているような場合でも底板がスムーズにパチンコ玉の下部に入り込むため、底板を基体に容易に装着することができる。
【００４６】
また、請求項４の発明においては、移送樋内に多数のパチンコ玉が滞留して底板上面に大きな加重がかかるような場合でも底板を基体から容易に取り外すことができる。
【００４７】
また、請求項５の発明においては、点検等を行う場合蓋板を移動するだけで基体の上面を開放することができる。また、従来の取り外し式の蓋板を設けた場合に必要であった蓋板の取り外し及び取り付け作業、取り外した蓋板を高所から低所へ又は低所から高所へ移動する作業、取り付け作業に付随して生じる取り付け位置の復元作業等、が不要となる。その結果、メンテナンスにおけるコストの低減及び作業性並びに安全性の向上を図ることができる。
【００４８】
また、請求項６の発明においては、蓋板が基体の所定の位置に係止されるため、移送樋内をパチンコ玉が転動する場合に発生する振動により起きる蓋板のばたつきを防止することができる。その結果、蓋板のばたつきを直接の原因として発生する騒音を防止することができ、パチンコ玉移送中における静粛性の向上並びにメンテナンスにおけるコストの低減及び作業性の向上を図ることができる。
【図面の簡単な説明】
【図１】本発明の実施形態におけるパチンコ島台の内部を示す側面部である。
【図２】遊技場に設置された複数のパチンコ島台と移送樋との関係を示す概略図である。
【図３】実施形態における、移送樋の部分斜視図である。
【図４】実施形態における、移送樋の扉板及び蓋板を開放した状態を示す部分斜視図である。
【図５】実施形態において、移送樋に装着された底板が取り外される状態を示す断面図である。
【図６】他の実施形態における移送樋に装着された底板の状態を示す断面図である。
【符号の説明】
１　　パチンコ島台
３０　　移送樋
３１　　底面部
３１ａ　固定側面部（側面部）
３６　　可動側面部（側面部）
３７　　基体
３８　　底板
４０　　底板傾斜端面（底板の挿入側の端面）
４１　　底板取手部（取手手段）
４２　　底板側係止用磁石（係止手段）
４３　　蓋板
４６　　扉板
４９　　扉板側係止用磁石（係止手段）
５１　　底板挿脱用間隙（間隙）
６０　　基体
６１　　底板
６１ａ　底板傾斜端面
６１ｂ　底板取手部
６２　　底板挿脱用間隙
６９　　移送樋
７０　　基体
７１　　底板
７１ａ　底板傾斜端面
７１ｂ　底板取手部
７２　　底板挿脱用間隙
７９　　移送樋
８０　　基体
８２　　底板
８５　　蓋板
８９　　移送樋
【図１】
2004065500.tif 000003
【図２】
2004065500.tif 000004
【図３】
2004065500.tif 000005
【図４】
2004065500.tif 000006
【図５】
2004065500.tif 000007
【図６】
2004065500.tif 000008